(57)【特許請求の範囲】
【請求項１】
使用者を撮影する撮像部と、
前記撮像部で撮影した使用者の映像を表示する表示部と、
前記表示部の正面側に、施療効果のある施療光を有する光を照射する光源部と、
前記表示部、前記光源部及び前記撮像部を制御する制御部とを備え、
前記制御部は、
前記施療光を照射している状態における使用者を前記撮像部で撮影した第１撮像画像を、前記施療光を照射しない状態における使用者を前記撮像部で撮影した第２撮像画像に基づいて色相の補正をし、前記補正後の第１撮像画像を前記表示部に表示させる
表示装置。
【請求項２】
前記制御部は、
前記補正後の第１撮像画像の輝度値を大きくする補正をした映像である第１輝度補正画像を生成する第１モードと、
前記補正後の第１撮像画像の輝度値を小さくする補正をした映像である第２輝度補正画像を生成する第２モードとを有している
請求項１記載の表示装置。
【請求項３】
さらに、
前記第２撮像画像を記憶する記憶部を備えている
請求項１又は２記載の表示装置。
【請求項４】
さらに、
前記光源部が施療光を照射する時間を計測するタイマ部を備え、
前記制御部は、前記タイマ部が計測した時間が所定時間以上となると、前記光源部に前記施療光の照射を停止させる
請求項１〜３のいずれか１項に記載の表示装置。
【請求項５】
前記表示部には、前記施療光を照射する時間を示すインジケータが表示される
請求項１〜４のいずれか１項に記載の表示装置。
【請求項６】
さらに、
外部の端末機と無線通信を行う通信部を備えている
請求項１〜５のいずれか１項に記載の表示装置。
【請求項７】
請求項１〜６のいずれか１項に記載の表示装置は、使用者が携帯する装置である
表示携帯端末装置。
【発明の詳細な説明】
【技術分野】
【０００１】
本発明は、使用者の姿を映す表示装置及び表示携帯端末装置に関し、特に、使用者に光を照射して撮影した映像を表示する表示装置及び表示携帯端末装置に関する。
【背景技術】
【０００２】
従来、生体の画像（映像）を取得する撮影部（撮像部）と、撮影部が取得した画像を表示する表示部とを備える画像表示装置（表示装置）が知られている（例えば特許文献１参照）。
【先行技術文献】
【特許文献】
【０００３】
【特許文献１】特開２０１４−１５７４２８号公報
【発明の概要】
【発明が解決しようとする課題】
【０００４】
このような、表示装置では、使用者が化粧を行う等の身だしなみを整える時間が長くなるため、この時間を活用して施療を行いたいとする要望がある。
【０００５】
そこで本発明は、使用者が身だしなみを整えつつ施療を行うことができる表示装置及び表示携帯端末装置を提供することを目的とする。
【課題を解決するための手段】
【０００６】
本発明の一態様に係る表示装置は、使用者を撮影する撮像部と、前記撮像部で撮影した使用者の映像を表示する表示部と、前記表示部の正面側に、施療効果のある施療光を有する光を照射する光源部と、前記表示部、前記光源部及び前記撮像部を制御する制御部とを備え、前記制御部は、前記施療光を照射している状態における使用者を前記撮像部で撮影した第１撮像画像を、前記施療光を照射しない状態における使用者を前記撮像部で撮影した第２撮像画像に基づいて色相の補正をし、前記補正後の第１撮像画像を前記表示部に表示させる。
【０００７】
また、本発明の一態様に係る表示携帯端末装置において、表示装置は、使用者が携帯する装置である。
【発明の効果】
【０００８】
本発明は、使用者が身だしなみを整えつつ施療を行うことができる表示装置及び表示携帯端末装置を提供できる。
【図面の簡単な説明】
【０００９】
【図１】実施の形態１に係る鏡機能付表示装置の斜視図である。
【図２】実施の形態１に係る鏡機能付表示装置のブロック図である。
【図３】実施の形態１に係る鏡機能付表示装置の動作を示すフロー図である。
【図４】実施の形態１に係る鏡機能付表示装置の動作を示すフロー図である。
【図５】実施の形態１に係る鏡機能付表示装置の使用例を示す説明図である。
【図６】実施の形態１の変形例に係る鏡機能付表示装置の斜視図である。
【図７】実施の形態２に係る鏡機能付表示携帯端末装置の斜視図である。
【図８】実施の形態２に係る鏡機能付表示携帯端末装置の使用例を示す説明図である。
【発明を実施するための形態】
【００１０】
（本発明の基礎のとなった知見）
近年、複雑化した社会の中で不安、不満など心理的、精神的なストレスが増大しており、このストレスを蓄積せずに早期に解消、或いは発散させる手段を講じることが必要になってきている。生体リズムが乱れることにより、これらのストレスが生じやすくなるといわれている。生体リズムとは、人の生理現象として、一定の時刻になると自然に眠くなり、一定時間眠ると自然に目が覚めるという生体リズムが約１日の周期で行われているリズムである。
【００１１】
この生体リズムを改善する方法として、睡眠、休養等の他に、所定時間以上青色を含む光（後述する施療光）を浴びると、生体リズムを改善する効果があることが知られている。施療光を照射するだけの装置では、使用者が単に施療光を浴びるだけの状態となるため、楽しさを感じ難く、次第にこの装置を使用しなくなる。このため、施療光を照射するだけの装置では、積極的に生体リズムを改善しようとする意識が使用者に働き難い。このため、施療光を浴びている間に、楽しく、かつ、時間を有意義に活用したいという要望がある。
【００１２】
一方で、近年の美容意識の高まりにより、美容機器のニーズが高まってきている。例えば、使用者が化粧台等の美容機器を用いて化粧を行う場合、使用者が化粧をすることによって顔立ちが変化していくことが楽しくなり、化粧を行う時間が長時間に達することもある。
【００１３】
そこで、本発明では、使用者が身だしなみを整えつつ施療を行うことができる表示装置及び表示携帯端末装置を提供する。特に、女性は、化粧を行う頻度が高いため、ほぼ毎日欠かさない行動を利用して施療が行うことができる。
【００１４】
以下、本発明の実施の形態について、図面を参照しながら説明する。以下に説明する実施の形態は、いずれも本発明の好ましい一具体例を示すものである。したがって、以下の実施の形態で示される数値、形状、材料、構成要素、構成要素の配置位置及び接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１５】
なお、各図は、模式図であり、必ずしも厳密に図示されたものではない。また、各図において、実質的に同一の構成に対しては同一の符号を付しており、重複する説明は省略又は簡略化する。
【００１６】
（実施の形態１）
以下、本実施の形態１に係る鏡機能付表示装置１（表示装置の一例）の構成について、図１及び図２を用いて説明する。
【００１７】
［構成］
図１は、実施の形態１に係る鏡機能付表示装置１の斜視図である。図２は、実施の形態１に係る鏡機能付表示装置１のブロック図である。
【００１８】
図１では、使用者から鏡機能付表示装置１の正面を見て、左側を左方向と規定し、前後、左右及び上下の各方向を表示する。そして、図１以降の各図に示す各方向は、全て図２に示す各方向に対応させて表示する。なお、図１では、上下方向、左右方向及び前後方向は、使用者の使用態様によって変化するため、これには限定されない。図１以降の各図においても、同様である。
【００１９】
図１に示すように、鏡機能付表示装置１（表示装置の一例）は、住宅等の室内に設置される使用者の姿を映す装置であり、使用者が鏡機能付表示装置１の前で化粧、着替え、洗顔等の身だしなみを整えたりするための装置である。また、鏡機能付表示装置１は、使用者に光を照射して撮影した映像を表示したりする。
【００２０】
鏡機能付表示装置１は、本体部３と、撮像部５と、表示部７と、２つの光源部９とを有している。
【００２１】
本体部３は、使用者の腰の高さにある箱状をなした洗面台１１と、箱状の第１保持部３１と、第１保持部３１と洗面台１１との間で上下に延びる板状の第２保持部３２とを有している。
【００２２】
洗面台１１は、内部に配管や収容物を収容している収納空間を有し、収納空間を開閉する扉や引き出し等を有している。洗面台１１は、洗面ボウル１１ａと、蛇口１１ｂとを有している。
【００２３】
洗面ボウル１１ａは、洗面台１１の上側に固定されている。洗面ボウル１１ａは、合成樹脂等で一体に成形されている。洗面ボウル１１ａの後方側には、洗面ボウル１１ａに水を注ぐ蛇口１１ｂが設けられている。蛇口１１ｂから吐出される水によって、洗面ボウル１１ａ内で洗顔、手洗い、衣類の洗濯といった作業等が行われる。
【００２４】
第１保持部３１は、撮像部５と、光源部９と、表示部７とを保持している。
【００２５】
撮像部５は、撮影した画像を取得するためのカメラユニットである。具体的には、撮像部５は、光学レンズ及びイメージセンサなどを有している。撮像部５は、光学レンズを介して入射した光を、イメージセンサによって画像信号に変換して出力する。撮像部５は、本体部３における第１保持部３１の中央部分で、表示部７の前に位置する使用者を撮影することができるように保持されている。
【００２６】
光源部９は、撮像部５の両側に設けられ、表示部の前方向（正面側）に光を照射する。つまり、光源部９は、撮像部５により撮影される使用者を照らすように第１保持部３１に配置されている。光源部９は、例えば、ＬＥＤ（発光ダイオード）素子、半導体レーザ等の半導体発光素子、または、有機ＥＬ（Ｅｌｅｃｔｒｏ  Ｌｕｍｉｎｅｓｃｅｎｃｅ）や無機ＥＬ等のＥＬ素子等その他の固体発光素子であってもよい。
【００２７】
光源部９は、表示部７の前方向に、施療効果のある施療光及び照明光を選択的に照射する。つまり、光源部９は、使用者に向けて、施療光のみの照射、照明光のみの照射、施療光及び照明光の両方の光の照射を行う。この施療光は、３８０ｎｍ以上５００ｎｍ以下の青色領域の波長を含む光である。特に、施療光は、４８０ｎｍ近傍の光を含むことが好ましい。また、照明光は、例えば、波長が３８０ｎｍ以上７８０ｎｍ以下の可視光帯域の波長の光である。
【００２８】
表示部７は、本体部３の第２保持部３２の前側で横並びに配置され、その表示面が使用者と対面するように立設状態で保持されている。表示部７は、ミラー型ディスプレイであり、起動していない状態では鏡状態となって使用者の姿を映し、起動している状態では撮像部５で撮影する使用者を表示する。表示部７は、上下方向に長尺の平板状をなしている。表示部７は、第２保持部３２の右側に保持されている右側表示部７１と、第２保持部３２の左側に保持されている左側表示部７３と、右側表示部７１と左側表示部７３との間に配置されている中央表示部７２とで構成されている。なお、右側表示部７１と左側表示部７３は、中央表示部７２の左右側で回動する三面鏡のように形成してもよい。
【００２９】
中央表示部７２は、第２保持部３２の前側の中央部分に配置されており、鏡機能付表示装置１に対面した使用者と相対するように配置されている。なお、右側表示部７１及び左側表示部７３は、中央表示部７２に対して姿勢を変更することができるように、中央表示部７２の左右方向における両端縁で回動可能に支持されていてもよい。
【００３０】
左側表示部７３の下方には、光源部９が照射する残り時間、充電量、照射モード等の情報を表示するインジケータ７３ａが表示されている。なお、インジケータ７３ａは、右側表示部７１、中央表示部７２に表示されてもよい。
【００３１】
右側表示部７１の右下側には、操作部７４が設けられている。操作部７４には、光選択ボタン７１ａと、モード選択ボタン７１ｂと、光照射スイッチ７１ｃと、施療光設定ボタン７１ｄとが上下方向に並ぶように設けられている。光選択ボタン７１ａは、施療光及び照明光の照射を選択するボタンである。モード選択ボタン７１ｂは、後述する第１モードか第２モードかを選択するボタンである。光照射スイッチ７１ｃは、光源部９から光を照射させる光照射スイッチである。施療光設定ボタン７１ｄは、使用者の選択により、施療光の強弱を設定することができる。つまり、操作部７４では、第１モード及び第２モードのいずれかの選択や、照明光及び施療光のいずれかの選択や、表示部７に表示させるインジケータ７３ａの表示の設定や、施療光の強弱の設定等を行うことができる。なお、操作部７４は、機械式の押しボタンでもよく、左側表示部７３の表面に設けられている静電容量式のタッチパネルでもよい。なお、操作部７４は、右側表示部７１、中央表示部７２に表示されてもよい。
【００３２】
なお、表示部７の一部が白色光、青色光を表示することにより、使用者を照らすこともできる。つまり、表示部７の一部が光源部９の機能を兼ねることができる。その場合、光源部９は、不要である。
【００３３】
図２に示されるように、鏡機能付表示装置１は、撮像部５、表示部７、光源部９及び操作部７４の他に、制御部４１、タイマ部４２、記憶部４３、通信部４４及び電源部４６を有している。
【００３４】
制御部４１は、光源部９、撮像部５、表示部７、記憶部４３、タイマ部４２、通信部４４及び操作部７４などを制御するための制御回路などから構成されている。制御部４１は、プロセッサ、またはマイクロコンピュータなどによって構成されてもよい。
【００３５】
また、制御部４１は、使用者の選択（光選択ボタン７１ａの操作）により光源部９に施療光及び照明光を照射させる。
【００３６】
さらに、制御部４１は、使用者に光源部９から施療光を照射させている際に、使用者を撮像部５で撮影した映像を受信し第１撮像画像を受信する。第１撮像画像は、使用者の動画像である。また、制御部４１は、使用者に光源部９から照明光を照射させた際に、使用者を撮像部５で撮影した第２撮像画像を受信する。第２撮像画像は、使用者の静止画像である。さらに、制御部４１は、生成した第２撮像画像を記憶部４３に記憶する。また、制御部４１は、第１撮像画像と第２撮像画像とに基づいて色相の補正をした映像である補正後の第１撮像画像を生成する。補正後の第１撮像画像は、動画像である。
【００３７】
具体的には、例えば、制御部４１は、撮影した第２撮像画像のうち、使用者の肌の部分を検出する。制御部４１は、使用者の肌の部分から、青色を示す色相のマップ画像を算出する。マップ画像は、画素ごとに対応する位置に配置したマップである。制御部４１は、第２撮像画像から得たこのマップ画像を基準にする。また、制御部４１は、第１撮像画像のうち、肌の画像から、青色を示す色相のマップ画像も算出する。制御部４１は、第１撮像画像のマップ画像から第２撮像画像のマップ画像を減算して、青色の色相を補正する補正値を算出する。そして、制御部４１は、この補正値を記憶部４３に記憶させる。そして、第１撮像画像から青色の色相を補正する補正値を減算し、第２撮像画像を生成する。
【００３８】
また、制御部４１は、撮影した第１撮像画像及び第２撮像画像を左右反転させる反転処理を行う。制御部４１は、撮像部５で取得した画像を左右反転させた撮影した画像を表示部７に表示させる。使用者は、表示部７に表示された画像を見ることで、あたかも、鏡を見るかのように、鏡機能付表示装置１を電子ミラーとして使用する。
【００３９】
さらに、制御部４１は、施療光を照射している状態において、第２撮像画像を表示部７に表示させる。なお、制御部４１は、照明光を照射している状態においても使用者を撮影した画像を表示部７に表示させてもよい。
【００４０】
また、制御部４１は、第１モードと、第２モードとを有している。制御部４１は、使用者の選択（モード選択ボタン７１ｂの操作）により、第１モード又は第２モードに切り換える。
【００４１】
第１モードは、昼間の屋外や、照明で照らされたオフィス等の明るい場所に対応する明るさになるように撮影した画像を補正する。第１モードは、補正後の第１撮像画像の輝度値を大きくする補正をした映像である第１輝度補正画像を生成する。また、制御部４１は、第１モードで施療光を照射しない（照明光を照射する）場合に、第２撮像画像の輝度値を大きくする補正をした映像である第３輝度補正画像を生成する。第１、３輝度補正画像は、動画像である。
【００４２】
第２モードは、パーティや、夕方の時間帯等、薄暗い場所に対応する明るさになるように撮影した画像を補正する。第２モードは、補正後の第１撮像画像の輝度値を小さくする補正をした映像である第２輝度補正画像を生成する。また、制御部４１は、第２モードで施療光を照射しない（照明光を照射する）場合に、第２撮像画像からの輝度値を小さくする補正をした映像である第４輝度補正画像を生成する。第２、４輝度補正画像は、動画像である。
【００４３】
さらに、制御部４１は、施療光設定ボタン７１ｄで操作された施療光の強度から、施療時間を算出する。制御部４１は、算出した施療時間の情報をタイマ部４２へ送信する。タイマ部４２は、施療時間に基づいて時間を計測する。制御部４１は、タイマ部４２が計測した時間が所定時間以上となると、施療光の照射を停止させる施療停止信号を光源部９に送信し、照明光を照射させる照明開始信号を光源部９に送信する。なお、施療光を強くすれば、施療時間が短くなり、施療光が弱まれば、施療時間は長くなる。
【００４４】
タイマ部４２は、制御部４１に接続され、光源部９が施療光を照射する時間を計測する。タイマ部４２は、計測時間を制御部４１に送信する。タイマ部４２は、計測した時間が所定時間以上となると、計測停止信号を制御部４１から受信し、時間の計測を停止する。なお、操作部７４を用いて使用者が施療を行う時間を入力することができてもよい。
【００４５】
記憶部４３は、第２撮像画像などを記憶する不揮発性の記憶装置である。記憶部４３としては、例えばフラッシュメモリまたはＥＥＰＲＯＭなどの半導体メモリが採用される。
【００４６】
通信部４４は、制御部４１に接続され、外部の端末機４７と無線通信を行う。外部の端末機４７は、例えばスマートフォンやパーソナルコンピュータ等である。通信部４４は、専用のアプリケーションがインストールされた端末機４７に月経周期、睡眠時間等の使用者が入力する自己の身体的情報を受信する。制御部４１は、この個人情報を基に施療時間の算出や施療光の強度等の算出を行う。
【００４７】
電源部４６は、系統電力から供給されることが好ましいが、バッテリ等の一次電池又は二次電池であってもよい。電源部４６は、制御部４１に接続され、制御部４１を介して表示部７、光源部９、記憶部４３等の各部に電力を供給する。
【００４８】
［動作］
本実施の形態１における鏡機能付表示装置１の動作について、説明する。
【００４９】
図３は、実施の形態１に係る鏡機能付表示装置１の動作を示すフロー図である。図４は、実施の形態１に係る鏡機能付表示装置１の動作を示すフロー図である。図５は、実施の形態１に係る鏡機能付表示装置１の使用例を示す説明図である。
【００５０】
図３に示すように、まず、使用者は、鏡機能付表示装置１を起動させる。使用者は、施療光を照射するか否かを設定することができる。使用者が施療光を照射する設定を行った場合に、鏡機能付表示装置１のフローを開始する。
【００５１】
制御部４１は、光源部９、撮像部５、表示部７及び記憶部４３に電力を供給し、これらを起動させる（Ｓ１）。なお、制御部４１は、使用者にモードの選択を促す画面を、表示部７に表示させてもよい。使用者は、操作部７４のモード選択ボタン７１ｂを操作して第１モード又は第２モードを選択する。制御部４１は、第１モードが選択されたか否かを判断する（Ｓ２）。ここでは、使用者が、目的に応じて第１モードか第２モードかを選択する。使用者は、オフィス等の明るい場所に向かう場合は第１モードを選択する（Ｓ２ではＹＥＳ）。
【００５２】
次に、制御部４１は、施療光を照射する施療開始が選択されているか否かを判断する（Ｓ３）。ここで、使用者は、化粧等をしながら施療光を浴びたい場合に施療開始を選択する（Ｓ３ではＹＥＳ）。なお、制御部４１は、ステップＳ３の前に、使用者に照射する光の選択を促す画面を、表示部７に表示させてもよい。
【００５３】
操作部７４で施療開始が選択された場合（Ｓ３ではＹＥＳ）に、制御部４１は、光源部９に照明光を照射させる（Ｓ４）。そして、制御部４１は、撮像部５に使用者を撮像させる（Ｓ５）。撮像部５は、補正後の第１撮像画像を生成する基準情報となる第２撮像画像を生成し、制御部４１に送信する。制御部４１は、第２撮像画像を受信して記憶部４３に保存する（Ｓ５）。なお、ステップＳ４で制御部４１が光源部９に照明光を照射させるが、鏡機能付表示装置１を起動時に光照射スイッチ７１ｃがＯＮになっていれば、光源部９に照明光を照射させてもよい。なお、ステップＳ５で、第２撮像画像が複数ある場合は、使用者を撮像する前に、使用者の意思で、好みの第２撮像画像を選択することができてもよい。この場合は、ステップＳ５を飛ばして、次のステップに進んでもよい。
【００５４】
撮像部５が使用者を撮影した後に、制御部４１は、光源部９が照射する照明光に、施療光を付加する（Ｓ６）。
【００５５】
制御部４１は、施療光が照射されている使用者を撮像部５に撮像させる。この際、使用者は、青みがかった状態となる。撮像部５は、撮影した映像から第１撮像画像を生成（Ｓ６）し、制御部４１に送信する。制御部４１は、第１撮像画像を受信し、第１撮像画像及び第２撮像画像から補正値を算出する。制御部４１は、第１撮像画像から補正値を減算して補正後の第１撮像画像を生成する（Ｓ７）。
【００５６】
制御部４１は、補正後の第１撮像画像と輝度値とから、輝度を大きくした第１輝度補正画像を生成する（Ｓ８）。制御部４１は、第１輝度補正画像を表示部７に表示させる（Ｓ８）。こうして、表示部７には、使用者の姿が青みを帯びた状態で表示されるのではなく、施療光が照射されている状態でも、第１撮像画像で撮影した色相に近く、かつ、より明るい映像が表示される。
【００５７】
制御部４１は、施療光設定ボタン７１ｄで操作された施療光の量から、施療時間を算出する。制御部４１は算出した施療時間の情報をタイマ部４２へ送信する。タイマ部４２は、この施療時間の情報を受信し、照射時間の計測を開始する。また、制御部４１は、照射時間等のインジケータ７３ａを表示部７に表示させる（Ｓ９）。
【００５８】
制御部４１は、照射時間が所定の時間を経過しているか否かを判断する（Ｓ１０）。照射時間が所定の時間を経過していない場合には、ステップＳ７に戻る。つまり、所定の時間が経過するまで第１撮像画像及び第２撮像画像から補正値と、補正後の第１撮像画像とを算出するようにフィードバックする。
【００５９】
照射時間が所定の時間を経過している場合（Ｓ１０ではＹＥＳ）には、施療時間は完了していると判断できる。なお、制御部４１は、施療光の照射を継続するか否かの画面を表示部７に表示させてもよい。制御部４１は、施療光の照射を継続するか否かを判断する（Ｓ１１）。使用者が化粧等を継続する場合（施療光を浴びたい場合）などのときは、ステップＳＳ７に戻る。一方、使用者が化粧等を継続しない場合（これ以上、施療光を浴びない場合）などのときに、制御部４１は、表示部７における照射時間等のインジケータ７３ａを非表示にする（Ｓ１２）。制御部４１は、光源部９に施療光の照射を停止させる（Ｓ１３）。つまり、光源部９からは、照明光が照射している状態となる。そして、次のステップＳ１４に進む。なお、ステップＳ１１の判断を設けなく、所定の時間が経過すれば、施療光の照射を停止させてもよい。
【００６０】
また、操作部７４で施療開始が選択されていない場合（Ｓ３ではＮＯ）に、制御部４１は、光源部９が照明光を照射する選択がされているか否かを判断する（Ｓ１５）。制御部４１は、光源部９が照明光を照射する選択がされている場合（Ｓ１５ではＹＥＳ）に、光源部９に照明光を照射させる（Ｓ１６）。そして、制御部４１は、撮像部５に使用者を撮像させる（Ｓ１７）。撮像部５は、第２撮像画像を生成し、制御部４１に送信する。制御部４１は、第２撮像画像を受信して記憶部４３に保存する（Ｓ１７）。
【００６１】
制御部４１は、第２撮像画像と輝度値とから、第２撮像画像の輝度値を大きくする補正をした第３輝度補正画像を生成する。そして、制御部４１は、第３輝度補正画像を表示部７に表示させる（Ｓ１８）。こうして、表示部７には、オフィス等の明るい場所に対応する明るさになるように、補正した使用者の姿が表示される。
【００６２】
制御部４１は、光源部９が照明光を照射する選択がされていない場合（Ｓ１５ではＮＯ）、ステップＳ１４に進む。
【００６３】
図４に示すように、使用者が第２モードを選択した場合（Ｓ２ではＮＯ）に、制御部４１は、施療光を照射する施療開始が選択されているか否かを判断する（Ｓ２１）。ここで、使用者は、化粧等をしながら施療光を浴びたい場合に施療開始を選択する（Ｓ２１ではＹＥＳ）。
【００６４】
操作部７４で施療開始が選択された場合（Ｓ２１ではＹＥＳ）に、制御部４１は、光源部９に照明光を照射させる（Ｓ２２）。そして、制御部４１は、撮像部５に使用者を撮像させる（Ｓ２３）。撮像部５は、補正後の第１撮像画像を生成する基準情報となる第２撮像画像を生成し、制御部４１に送信する。制御部４１は、第２撮像画像を受信して記憶部４３に保存する（Ｓ２３）。
【００６５】
撮像部５が使用者を撮影した後に、制御部４１は、光源部９が照射する光を、照明光に施療光を付加する（Ｓ２４）。
【００６６】
制御部４１は、施療光が照射されている使用者を撮像部５に撮像させる。撮像部５は、撮影した映像から第１撮像画像を生成（Ｓ２４）し、制御部４１に送信する。制御部４１は、第１撮像画像を受信し、第１撮像画像及び第２撮像画像から補正値を算出する。制御部４１は、第１撮像画像から補正値を減算して補正後の第１撮像画像を生成する（Ｓ２５）。
【００６７】
制御部４１は、補正後の第１撮像画像と輝度値とから、輝度を小さくした第２輝度補正画像を生成する（Ｓ２６）。制御部４１は、第２輝度補正画像を表示部７に表示させる（Ｓ２６）。こうして、表示部７には、使用者の姿が青みを帯びた状態で表示されるのではなく、施療光が照射されている状態でも、第１撮像画像で撮影した色相に近く、かつ、より薄暗い映像が表示される。
【００６８】
制御部４１は、施療光設定ボタン７１ｄで操作された施療光の量から、施療時間を算出する。制御部４１は算出した施療時間の情報をタイマ部４２へ送信する。タイマ部４２は、施療時間に基づいて時間を計測する。また、制御部４１は、照射時間等のインジケータ７３ａを表示部７に表示させる（Ｓ２７）。
【００６９】
制御部４１は、照射時間が所定の時間を経過しているか否かを判断する（Ｓ２８）。照射時間が所定の時間を経過していない場合には、ステップＳ２５に戻る。つまり、所定の時間が経過するまで第１撮像画像及び第２撮像画像から補正値と、補正後の第１撮像画像とを算出するようにフィードバックする。
【００７０】
照射時間が所定の時間を経過している場合（Ｓ２８ではＹＥＳ）には、施療時間は完了していると判断できる。なお、制御部４１は、施療光の照射を継続するか否かの画面を表示部７に表示させてもよい。制御部４１は、施療光の照射を継続するか否かを判断する（Ｓ２９）。使用者が化粧等を継続する場合（施療光を浴びたい場合）などのときは、ステップＳＳ２５に戻る。一方、使用者が化粧等を継続しない場合（これ以上施療光を浴びない場合）などのときに、制御部４１は、表示部７における照射時間等のインジケータ７３ａを非表示にする（Ｓ３０）。制御部４１は、光源部９に施療光の照射を停止させる（Ｓ３１）。つまり、光源部９からは、照明光が照射している状態となる。そして、図３のステップＳ１４に進む。なお、ステップＳ２９の判断を設けなく、所定の時間が経過すれば、施療光の照射を停止させてもよい。
【００７１】
また、操作部７４で施療開始が選択されていない場合（Ｓ２１ではＮＯ）に、制御部４１は、光源部９が照明光を照射する選択がされているか否かを判断する（Ｓ３２）。制御部４１は、光源部９が照明光を照射する選択がされている場合（Ｓ３２ではＹＥＳ）に、光源部９に照明光を照射させる（Ｓ３３）。そして、制御部４１は、撮像部５に使用者を撮像させる（Ｓ３４）。撮像部５は、第２撮像画像を生成し、制御部４１に送信する。制御部４１は、第２撮像画像を受信して記憶部４３に保存する（Ｓ３４）。
【００７２】
制御部４１は、第２撮像画像と輝度値とから、第２撮像画像の輝度値を小さくする補正をした第４輝度補正画像を生成する（Ｓ３５）。そして、制御部４１は、第４輝度補正画像を表示部７に表示させる（Ｓ３５）。こうして、表示部７には、パーティや、夕方の時間帯等、薄暗い場所に対応する明るさになるように、補正した使用者の姿が表示される。
【００７３】
制御部４１は、光源部９が照明光を照射する選択がされていない場合（Ｓ３２ではＮＯ）、図３のステップＳ１４に進む。
【００７４】
図３に示すように、制御部４１は、操作の完了が選択されているか否かを判断する（Ｓ１４）。使用者が操作を完了したい場合（Ｓ１４ではＹＥＳ）は、操作の完了が選択され、このフローは終了する。なお、制御部４１は、ステップＳ１４の前に、使用者に操作を完了するか、又は継続するかの選択画面を表示部７に表示させてもよい。
【００７５】
一方、使用者が操作の継続をしたい場合（Ｓ１４ではＮＯ）は、操作の継続が選択され、ステップＳ１に戻る。
【００７６】
［作用効果］
次に、本実施の形態１おける鏡機能付表示装置１の作用効果について説明する。
【００７７】
上述したように、実施の形態１に鏡機能付表示装置１は、使用者を撮影する撮像部５と、撮像部５で撮影した使用者の映像を表示する表示部７と、表示部７の正面側に、施療効果のある施療光を有する光を照射する光源部９と、表示部７、光源部９及び撮像部５を制御する制御部４１とを備える。制御部４１は、施療光を照射している状態における使用者を撮像部５で撮影した第１撮像画像と、施療光を照射しない状態における使用者を撮像部５で撮影した第２撮像画像に基づいて色相の補正をし、補正後の第１撮像画像を表示部７に表示させる。
【００７８】
この構成によれば、第１撮像画像と第２撮像画像から、補正後の第１撮像画像を生成して表示部７に表示する。このため、使用者に施療光が照射されている状態でも、使用者が化粧等により身だしなみを整えつつ施療を行うことができる。
【００７９】
なお、この鏡機能付表示装置１では、身だしなみを整えながら施療を行うことができるため、使用者が時間を有意義に活用することができ、利便性が高い。
【００８０】
また、実施の形態１に鏡機能付表示装置１において、制御部４１は、補正後の第１撮像画像の輝度値を大きくする補正をした映像である第１輝度補正画像を生成する第１モードと、補正後の第１撮像画像の輝度値を小さくする補正をした映像である第２輝度補正画像を生成する第２モードとを有している。
【００８１】
この構成によれば、使用者の目的に応じて表示部７に使用者の姿が表示されるため、使用者が身だしなみを整え易くなる。
【００８２】
特に、化粧を行う場合には、適切な化粧を行い易くなる。
【００８３】
また、実施の形態１に鏡機能付表示装置１は、第２撮像画像を記憶する記憶部４３を備えている。
【００８４】
この構成によれば、記憶部４３に予め撮影しておいた第２撮像画像を保存されていれば、この第２撮像画像を基にして補正後の第１撮像画像を生成することができる。このため、使用環境が変化しても、補正後の第１撮像画像に斑が生じ難くなる。
【００８５】
また、実施の形態１に鏡機能付表示装置１は、さらに、光源部９が施療光を照射する時間を計測するタイマ部４２を備える。制御部４１は、タイマ部４２が計測した時間が所定時間以上となると、光源部９に施療光の照射を停止させる。
【００８６】
この構成によれば、施療時間が終了すれば自動的に施療光の照射が停止することができるため、使い勝手がよい。特に、施療時間をインジケータ７３ａで表示すれば、残りの施療時間等の情報を得ることができる。
【００８７】
また、実施の形態１に鏡機能付表示装置１において、表示部７には、施療光を照射する時間を示すインジケータが表示される。
【００８８】
この構成によれば、インジケータ７３ａにより、施療時間や、バッテリの残量等の情報を使用者が得ることができるため、使い勝手がよい。
【００８９】
また、実施の形態１に鏡機能付表示装置１は、外部の端末機４７と無線通信を行う通信部４４を備えている。
【００９０】
この構成によれば、外部の端末機４７を用いて入力した月経周期や睡眠時間等の個人情報を、鏡機能付表示装置１が受信することができる。
【００９１】
特に、制御部４１は、この個人情報を基に施療を行うことができる。
【００９２】
（実施の形態１の変形例）
［構成］
以下、本実施の形態１の変形例に係る鏡機能付表示装置１の構成について、図６を用いて説明する。
【００９３】
図６は、実施の形態１の変形例に係る鏡機能付表示装置１の斜視図である。図６では、表示部７が設けられている開閉部８２が収容部８１を閉鎖している状態を示している。
【００９４】
図６に示すように、鏡機能付表示装置１は、クローゼット８０に組み込まれている。クローゼット８０は、収容部８１と、一対の開閉部８２とを有している。開閉部８２は、長尺の２枚の板部８３からなり、収容部８１を開放又は閉鎖する。
【００９５】
板部８３には、鏡機能付表示装置１が組み込まれている。板部８３の前面には、表示部７が立設状態で保持されている。表示部７は、使用者の全身が映るように、上下方向で長尺に形成されている。
【００９６】
表示部７の上方には、撮像部５と、光源部９とが設けられている。撮像部５は、表示部７の前に位置する使用者等を撮影することができるように保持されている。光源部９は、撮像部５の両側に設けられている。光源部９は、表示部７の前方向に光を照射することができるように設けられている。
【００９７】
この鏡機能付表示装置１の動作についても、実施の形態１における鏡機能付表示装置１の動作と同様であるため、その説明を省略する。
【００９８】
この鏡機能付表示装置１における作用効果は、実施の形態１の鏡機能付表示装置１と同様の作用効果であり、同一の作用効果については詳細な説明を省略する。
【００９９】
（実施の形態２）
［構成］
以下、本実施の形態２に係る鏡機能付表示携帯端末装置１００（表示携帯端末装置の一例）の構成について、図７及び図８を用いて説明する。
【０１００】
図７は、実施の形態２に係る鏡機能付表示携帯端末装置１００の斜視図である。図７では、保持部１０２が本体部１０１に対して開いた状態を示している。図８は、実施の形態２に係る鏡機能付表示携帯端末装置１００の使用例を示す説明図である。
【０１０１】
本実施の形態２において、鏡機能付表示携帯端末装置１００における他の構成は、実施の形態１の鏡機能付表示装置１と同様であり、同一の構成については同一の符号を付して構成に関する詳細な説明を省略する。
【０１０２】
図７に示すように、鏡機能付表示携帯端末装置１００は、使用者が携帯する装置であり、持ち運び可能な卓上に載置することができるタイプである。鏡機能付表示携帯端末装置１００は、本体部１０１と、保持部１０２と、第１表示部１０３と、第２表示部１０４と、２つの光源部９と、撮像部５とを有している。
【０１０３】
本体部１０１は、平板状をなし、上面に第１表示部１０３を配置している。本体部１０１は、図８の卓上に載置される。本体部１０１は、保持部１０２を回動可能に支持する本体側ヒンジ部１０１ａを有している。本体側ヒンジ部１０１ａは、本体部１０１の後方側の中央側に設けられている。本体側ヒンジ部１０１ａは、本体部１０１に対して保持部１０２が回動した際に、所定の位置で保持部１０２を保持する。
【０１０４】
本体側ヒンジ部１０１ａには、撮像部５と、２つの光源部９とが設けられている。撮像部５は、本体側ヒンジ部１０１ａの中央部分で、第１表示部１０３の前に位置する使用者等を撮影することができるように保持されている。また、光源部９は、撮像部５の両側に配置され、表示部の前方向に光を照射することができるように設けられている。
【０１０５】
保持部１０２は、軸心Ｘ１周りで本体部１０１の本体側ヒンジ部１０１ａに対して回動可能である。保持部１０２は、第２表示部１０４を保持している。第２表示部１０４は、第１表示部１０３と同様の装置である。保持部１０２は、回動する角度によって、第１表示部１０３の表示面が使用者と対面するように保持する。保持部１０２の本体部１０１側には、一対の保持側ヒンジ部１０２ａが形成されている。両保持側ヒンジ部１０２ａは、本体側ヒンジ部１０１ａに対して回動可能に支持される。
【０１０６】
両保持側ヒンジ部１０２ａには、操作部１０５が設けられている。操作部１０５は、４つのボタンからなる。
【０１０７】
左側の保持側ヒンジ部１０２ａには、光源部９が照射する光について、施療光及び照明光の照射を選択する光選択ボタン１０５ａと、第１モードか第２モードかを選択するモード選択ボタン１０５ｂとが設けられている。
【０１０８】
右側の保持側ヒンジ部１０２ａには、光源部９から光を照射する光照射スイッチ１０５ｃと、施療光の強弱を設定することができる施療光設定ボタン１０５ｄとが設けられている。使用者は、光を浴びたい場合は、光照射スイッチ１０５ｃをＯＮにし、光選択ボタン１０５ａを操作して照射する光（施療光又は照明光）を選択する。光の照射を止めたい場合は、光照射スイッチ１０５ｃをＯＦＦにする。使用者は、施療光を強めたい場合に施療光設定ボタン１０５ｄの強度を上げ、施療光を弱めたい場合に施療光設定ボタン１０５ｄの強度を下げる。
【０１０９】
第１表示部１０３及び第２表示部１０４には、使用者の姿が本体側ヒンジ部１０１ａ及び保持側ヒンジ部１０２ａで区切られて表示される。
【０１１０】
また、本体部１０１には、保持部１０２の係合部１０２ｂと係合する止め部１０１ｂが設けられている。保持部１０２を本体部１０１に対して閉鎖した（畳んだ）際に、保持部１０２の係合部１０２ｂと止め部１０１ｂとが係合すると、保持部１０２が本体部１０１に対して開く動作が規制される。
【０１１１】
本体部１０１には、図２の実施の形態１と同様の制御部４１、タイマ部４２、記憶部４３、通信部４４、操作部１０５及び電源部４６が収容されている。
【０１１２】
電源部４６は、バッテリ等の一次電池又は二次電池であることが好ましいが、パーソナルコンピュータ等の外部の電源から供給されてもよく、外部の系統電力でもよい。
【０１１３】
図８に示すように、使用者は、鏡機能付表示携帯端末装置１００をテーブルに載置し、保持部１０２を回動させる。使用者は、鏡機能付表示携帯端末装置１００を起動し、化粧などの身だしなみを整える。
【０１１４】
この鏡機能付表示携帯端末装置１００の動作についても、実施の形態１における鏡機能付表示装置１の動作と同様であるため、その説明を省略する。
【０１１５】
［作用効果］
次に、本実施の形態２おける鏡機能付表示携帯端末装置１００の作用効果について説明する。
【０１１６】
上述したように、実施の形態２に鏡機能付表示携帯端末装置１００は、使用者が携帯する装置である。
【０１１７】
この構成によれば、使用者が鏡機能付表示携帯端末装置１００を持ち運びすることができるため、使い勝手がよい。
【０１１８】
この鏡機能付表示携帯端末装置１００における作用効果は、実施の形態１の鏡機能付表示装置１と同様の作用効果であり、同一の作用効果については詳細な説明を省略する。
【０１１９】
（その他変形例等）
以上、本発明に係る表示装置及び表示携帯端末装置について、実施の形態１、２及び実施の形態１の変形例に基づいて説明したが、本発明は、上記実施の形態１、２及び実施の形態１の変形例に限定されるものではない。
【０１２０】
また、上記実施の形態においては、第１モード又は第２モードを選択しなくても、使用者が単に施療光及び照明光を浴びたい場合は、光照射スイッチ７１ｃをＯＮ操作して、光選択ボタン７１ａで施療光及び照明光を照射してもよい。
【０１２１】
また、上記実施の形態においては、ステップＳ６、Ｓ２４で照明光の照射を停止させて施療光だけの照射に切替えてもよい。
【０１２２】
また、表示装置は、表示装置として実現できるだけでなく、表示方法及び表示方法をパーソナルコンピュータに実行させるプログラムとして実現することもできる。
【０１２３】
また、上記実施の形態においては、制御部は、第１モードと第２モードとを有しているが、例えば、第１モードよりも明るい状態である第３モードや、第２モードよりも暗い状態である第４モード等のモードを更に有していてもよい。また、制御部は、第５モード以上を有していてもよい。
【０１２４】
その他、実施の形態１、２及び実施の形態１の変形例に対して当業者が思いつく各種変形を施して得られる形態や、本発明の趣旨を逸脱しない範囲で実施の形態１、２及び実施の形態１の変形例における構成要素及び機能を任意に組み合わせることで実現される形態も本発明に含まれる。
【符号の説明】
【０１２５】
１  鏡機能付表示装置（表示装置）
５  撮像部
７  表示部
９  光源部
４１  制御部
４２  タイマ部
４３  記憶部
４４  通信部
４７  端末機
７１  右側表示部（表示部）
７２  中央表示部（表示部）
７３  左側表示部（表示部）
１０３  第１表示部（表示部）
１０４  第２表示部（表示部）
７３ａ  インジケータ
１００  鏡機能付表示携帯端末装置（表示携帯端末装置）
【図１】
0006601736.tif 000002
【図２】
0006601736.tif 000003
【図３】
0006601736.tif 000004
【図４】
0006601736.tif 000005
【図５】
0006601736.tif 000006
【図６】
0006601736.tif 000007
【図７】
0006601736.tif 000008
【図８】
0006601736.tif 000009